(57)【要約】【課題】外部記録手段を効率よく配置することを目的とする。【解決手段】カメラユニット１００と、カメラユニット１００に近接して配置される基板ユニット１０４と、カメラユニット１００を覆う略半球状のドームカバー１０２と、ドームカバー１０２を支持し、基板ユニット１０４を覆うハウジング１０３と、外部記録手段１０７と、を備える撮像装置であって、ドームカバー１０２は、ハウジング１０３に対して偏心して配置され、外部記録手段１０７は、カメラユニット１００と基板ユニット１０４との間に配置されることを特徴とする。【選択図】図３
2019149631.tif 000002
【特許請求の範囲】
【請求項１】
カメラユニットと、
前記カメラユニットに近接して配置される基板ユニットと、
前記カメラユニットを覆う略半球状のドームカバーと、
前記ドームカバーを支持し、前記基板ユニットを覆うハウジングと、
外部記録手段と、を備える撮像装置であって、
前記ドームカバーは、前記ハウジングに対して偏心して配置され、
前記外部記録手段は、前記カメラユニットと前記基板ユニットとの間に配置されることを特徴とする撮像装置。
【請求項２】
前記外部記録手段は、表裏に平面を有する略板状であって、前記カメラユニットに対して一方側の平面が対向し、前記基板ユニットに対して他方側の平面が対向するように配置されることを特徴とする請求項１に記載の撮像装置。
【請求項３】
前記外部記録手段は、表裏に平面を有する略板状であって、前記平面が該撮像装置の設置面に対して略直交するように配置されることを特徴とする請求項１または２に記載の撮像装置。
【請求項４】
前記ドームカバーは、周縁部を有すると共に、該撮像装置の設置面に直交する第１の方向に対して天頂方向が傾斜して配置され、
前記外部記録手段は、前記第１の方向から見て、前記周縁部に重なり合うように配置されることを特徴とする請求項１ないし３の何れか１項に記載の撮像装置。
【請求項５】
前記外部記録手段は、一部が前記基板ユニットより突出した状態で配置されることを特徴とする請求項１ないし４の何れか１項に記載の撮像装置。
【請求項６】
導電材であるシールド部材を更に備え、
前記シールド部材は、前記基板ユニットと、前記ハウジングとの間に配置されることを特徴とする請求項１ないし５の何れか１項に記載の撮像装置。
【請求項７】
前記シールド部材は、前記外部記録手段が挿通する開口部を有し、
前記外部記録手段は、前記開口部を通して一部が突出した状態で配置されることを特徴とする請求項６に記載の撮像装置。
【発明の詳細な説明】
【技術分野】
【０００１】
本発明は、ネットワークカメラ等の撮像装置に関する。
【背景技術】
【０００２】
近年、画像を遠隔的にモニタリングできるネットワークカメラは電車やバス等の車両にも導入されている。このようなネットワークカメラでは着脱可能な記録媒体にエッジ録画する方式がある。映像確認する場合には記録媒体を着脱させると共に、その前提としてハウジングをカメラ本体から着脱させる必要がある。
【０００３】
特許文献１には、通常使用時にカード型周辺機器の存在を隠して、装脱が必要な場合には容易に操作が行えるように、カメラ後方に着脱可能なカバーを設ける監視カメラが開示されている。
【先行技術文献】
【特許文献】
【０００４】
【特許文献１】特開２００７−１５０７９０号公報
【発明の概要】
【発明が解決しようとする課題】
【０００５】
しかしながら、特許文献１の監視カメラでは、カード型周辺機器がケース内に効率よく配置されていないことから装置全体が大型化してしまうという問題がある。
本発明は、上述したような問題点に鑑みてなされたものであり、外部記録手段を効率よく配置することを目的とする。
【課題を解決するための手段】
【０００６】
本発明は、カメラユニットと、前記カメラユニットに近接して配置される基板ユニットと、前記カメラユニットを覆う略半球状のドームカバーと、前記ドームカバーを支持し、前記基板ユニットを覆うハウジングと、外部記録手段と、を備える撮像装置であって、前記ドームカバーは、前記ハウジングに対して偏心して配置され、前記外部記録手段は、前記カメラユニットと前記基板ユニットとの間に配置されることを特徴とする。
【発明の効果】
【０００７】
本発明によれば、外部記録手段を効率よく配置することができる。
【図面の簡単な説明】
【０００８】
【図１】ネットワークカメラの構成の一例を示す外観図である。
【図２】ネットワークカメラの構成の一例を示す分解斜視図である。
【図３】ネットワークカメラの構成の一例を示す断面図である。
【図４】ハウジングを取り外した状態の一例を示す斜視図である。
【発明を実施するための形態】
【０００９】
以下に、本発明の好ましい実施形態の撮像装置について図面を参照して説明する。本実施形態では撮像装置が車両に設置するネットワークカメラである場合について説明する。
図１は、ネットワークカメラの構成の一例を示す外観図である。図１を含む各図には、説明を容易にするために便宜的に前、後、右、左、上、下を表記している。なお、前とは、後述するようにドームカバー１０２がハウジング１０３に対して偏心している側をいう。
【００１０】
ネットワークカメラは、ドームカバー１０２と、ハウジング１０３と、ボトムカバー３０２を備える。ネットワークカメラは、ボトムカバー３０２から通信／給電用ケーブル３０３（ピッグテイルケーブル）が配設される。通信／給電用ケーブル３０３の末端にはＲＪ４５コネクタが接続される。
【００１１】
図２は、ネットワークカメラの構成の一例を示す分解斜視図である。
図３は、ネットワークカメラを前後方向と平行であって、左右方向の中心を通り、上下方向（高さ方向）に沿って切断した断面図である。なお、上下方向は、後述する設置面３０２ａに直交する方向であって、第１の方向の一例に対応する。
ドームカバー１０２は、レンズ鏡筒ユニット１０１を含むカメラユニット１００を覆う。ドームカバー１０２は、透明材から成る略半球状の光学窓である。図３に示すように、ドームカバー１０２は周縁部としてのフランジ部１０２ａがハウジング１０３の開口部と係合することでハウジング１０３に支持される。また、ドームカバー１０２は、ハウジング１０３に対してハウジング１０３の中央から偏心している。具体的には、上下方向から見たときに、ドームカバー１０２を球と近似したときの球の中心がハウジング１０３の前側に偏っている。ドームカバー１０２をハウジング１０３に対して前側に偏心させることで、ドームカバー１０２はハウジング１０３の前側に位置する後述するカメラユニット１００を覆うことができる。
【００１２】
更に、ドームカバー１０２は、ハウジング１０３の上下方向に対して傾斜している。具体的には、図３に示すように、ドームカバー１０２は天頂方向がハウジング１０３の上下方向に対して前側に傾斜している。ここで、天頂方向とは、ドームカバー１０２を球と近似したときの球の中心を通り、ドームカバー１０２のフランジ部１０２ａを含む仮想の平面２０１に対して直交する方向をいう。ドームカバー１０２をハウジング１０３の上下方向に対して前側に傾斜させることで、ネットワークカメラの高さを低くする低背化が可能であり、車両内に設置したときに乗客の邪魔になることを防止できる。また、ネットワークカメラの撮影範囲を広く確保することができる。
【００１３】
ハウジング１０３は、レンズ鏡筒ユニット１０１を含むカメラユニット１００、基板ユニット１０４および外部記録手段１０７を覆う。ハウジング１０３は、非導電材であるプラスチック材から構成される。ハウジング１０３は上下方向から見て略円形であり、前側に向かうほど高さが低くなる。ハウジング１０３は、係止手段としての螺子３０１を用いてボトムカバー３０２に係止される。なお、螺子３０１の頭部は、盗難・イタズラ防止用に特殊形状が施されている。
【００１４】
ボトムカバー３０２は、ハウジング１０３を下側から覆う。ボトムカバー３０２は、カメラユニット１００および基板ユニット１０４を搭載する。ボトムカバー３０２は、主に放熱を目的として熱伝導性の高い金属部材から構成される。また、ボトムカバー３０２は上下方向から見て略円形である。ボトムカバー３０２のうちカメラユニット１００および基板ユニット１０４が搭載されない面は、ネットワークカメラを車両の天井面や壁面等に取り付けるための設置面３０２ａである。また、ボトムカバー３０２には、天井面や壁面等に固定するために螺子を挿通させる長孔状の挿通孔３０２ｂが複数（例えば４つ）設けられる。ボトムカバー３０２を天井面や壁面等に固定するには、ボトムカバー３０２から延びる通信／給電用ケーブル３０３の配線処理を行った上で位置決めし、挿通孔３０２ｂに螺子を挿通させることで固定する。
【００１５】
カメラユニット１００は、レンズ鏡筒ユニット１０１を通して結像された被写体像を撮影する。カメラユニット１００はレンズ鏡筒ユニット１０１および撮像素子１０８等を含んで構成される。カメラユニット１００は、外観が略球体状である。カメラユニット１００は、ボトムカバー３０２の前側に搭載される。本実施形態のカメラユニット１００は、ネットワークカメラの前後方向における中心（図３に示す一点鎖線Ｃ）よりも前側に位置する。
【００１６】
レンズ鏡筒ユニット１０１は、レンズ群と、レンズ群を保持するレンズ保持部材とを有するレンズ鏡筒を備え、レンズ方向を任意の方向に調整可能である。図２に示すように、レンズ鏡筒ユニット１０１はＰ（パン）方向、Ｔ（チルト）方向、Ｒ（ローテーション）方向に３方向、すなわちそれぞれ直交する３軸周りに調整可能である。ユーザは、レンズ鏡筒ユニット１０１のレンズ方向を所望する方向に調整した後にハウジング１０３をボトムカバー３０２に係止する。
【００１７】
基板ユニット１０４は、複数のプリント基板を有する。基板ユニット１０４は、カメラユニット１００に近接した位置であって、ボトムカバー３０２の後側に搭載される。本実施形態では、基板ユニット１０４は、第１のプリント基板３０５と、第２のプリント基板３０６とを有する。第１のプリント基板３０５は画像処理回路、ネットワーク処理回路およびメモリ等を備え、第２のプリント基板３０６は電源系ＩＣや外部インターフェースコネクタ等を備える。
【００１８】
第１のプリント基板３０５および第２のプリント基板３０６は、実装面がボトムカバー３０２の設置面３０２ａと略平行な状態で配置される。第２のプリント基板３０６には上述した通信／給電用ケーブル３０３が接続され、第２のプリント基板３０６はボトムカバー３０２に対して固定される。
一方、第１のプリント基板３０５は、第２のプリント基板３０６上に複数（例えば４つ）の金属製のスペーサ３０９を介して支持されると共に、ボトムカバー３０２と電気的な導通が確保される構成となっている。また、第１のプリント基板３０５は、第２のプリント基板３０６との間で電気的な接続手段としての基板対基板用のコネクタにより接続される。更に、図３に示すように、第１のプリント基板３０５は、カメラユニット１００との間でハーネスとしての細線同軸ケーブル３１０により接続される。
【００１９】
また、基板ユニット１０４は主にＥＭＣや放熱性を目的としてシールド部材１０６によって覆われる。シールド部材１０６は導電性を有する導電材である。シールド部材１０６は基板ユニット１０４を上側から覆うと共に、右側、左側および前側（一部）から覆う。図２に示すように、シールド部材１０６は、複数（例えば４つ）の螺子３０８によってスペーサ３０９に対して第１のプリント基板３０５と共に固定される。また、シールド部材１０６の上面には、外部記録手段１０７が挿通される開口部１０６ａを有する。
【００２０】
外部記録手段１０７は、不揮発性メモリであって、カメラユニット１００により撮影された監視画像をエッジ録画する。外部記録手段１０７は表裏に平面を有する略板状、すなわちカード状である。外部記録手段１０７は、第３のプリント基板３０７に実装されたカードコネクタ３０７ａに対して着脱可能である。第３のプリント基板３０７はコネクタ３０７ｂを介して第１のプリント基板３０５に電気的に接続される。
【００２１】
本実施形態のネットワークカメラでは、外部記録手段１０７（第３のプリント基板３０７）がカメラユニット１００と基板ユニット１０４との間に挟まれるように配置される。具体的には、外部記録手段１０７は、表裏の平面のうち一方側の平面がカメラユニット１００に対向し、他方側の平面が基板ユニット１０４に対して対向するように配置される。したがって、外部記録手段１０７は、表裏の平面が設置面３０２ａに対して略直交するように立設する。
【００２２】
図４は、ハウジング１０３を取り外した状態を示す斜視図である。図４に示すように、外部記録手段１０７がカードコネクタ３０７ａに装着された状態では、外部記録手段１０７の一部がシールド部材１０６の開口部１０６ａを通してハウジング１０３側（上側）に突出している。したがって、ハウジング１０３をボトムカバー３０２から取り外した状態では、ユーザはシールド部材１０６の開口部１０６ａから外部記録手段１０７を視認することができる。なお、図２に示すように、シールド部材１０６の上面には、ユーザが外部記録手段１０７の表裏を誤ってカードコネクタ３０７ａに挿入しないように、指標１０６ｂが施される。
【００２３】
また、外部記録手段１０７をカードコネクタ３０７ａに着脱する着脱方向は、ハウジング１０３のボトムカバー３０２に対する取り付けおよび取り外し方向と一致する。ここで、ハウジング１０３を取り付けおよび取り外しできる方向には、ハウジング１０３と干渉する障害物はないと想定できる。したがって、ハウジング１０３の取り付けおよび取り外し方向と外部記録手段１０７の着脱方向とを一致させることで、ユーザが外部記録手段１０７を容易に着脱することができる。
【００２４】
上述したように、ドームカバー１０２がハウジング１０３に対して偏心して配置されることで、ハウジング１０３内の空間配分として、ドームカバー１０２側にカメラユニット１００が配置され、残りに基板ユニット１０４が配置される。ここで、カメラユニット１００と基板ユニット１０４との間は、ハウジング１０３の略中央付近となることから高さ方向に比較的に広い空間である。すなわち、カメラユニット１００と基板ユニット１０４との間に外部記録手段１０７を配置することで、ハウジング１０３を大きくすることなく外部記録手段１０７を効率よく配置することができる。したがって、外部記録手段１０７を配置してもネットワークカメラが大型化してしまうことを抑制できる。また、ハウジング１０３とは別体のカバーを必要としないことから、ネットワークカメラのコストを削減することができる。
【００２５】
また、外部記録手段１０７は、カメラユニット１００に対して一方側の平面が対向し、基板ユニット１０４に対して他方側の平面が対向するように配置される。したがって、カメラユニット１００と基板ユニット１０４との間で外部記録手段１０７を立設させることができ、外部記録手段１０７を効率よく配置することができる。
また、外部記録手段１０７は、平面がボトムカバー３０２の設置面３０２ａに対して略直交するように配置される。したがって、外部記録手段１０７の着脱方向を設置面３０２ａに対して略直交方向にすることができ、例えば設置面３０２ａと平行な着脱方向である場合と比較すると、外部記録手段１０７を着脱するときの操作性を向上させることができる。
【００２６】
また、ハウジング１０３の高さを決めているのは、実質的にドームカバー１０２のフランジ部１０２ａである。すなわち、図３に示すように、前側に傾斜したドームカバー１０２のフランジ部１０２ａの後部から、必要最小肉厚で設けられたハウジング１０３の厚みが加わることで、ハウジング１０３の最も高い第１の高さＨ１が決定される。第１の高さＨ１はハウジング１０３の略中央であって、フランジ部１０２ａの直上に位置する。なお、ハウジング１０３は、第１の高さＨ１から後側の第２の高さＨ２に向かってなだらかに傾斜する外観形状である。第２の高さＨ２は、第１の高さＨ１よりも低く（Ｈ１＞Ｈ２）、基板ユニット１０４の高さによって決定される。
ここで、フランジ部１０２ａの後部の直上はハウジング１０３のうち最も高い位置であることから、フランジ部１０２ａの付近は高さ方向に比較的に広い空間である。したがって、図３に示すように、高さ方向から見て、外部記録手段１０７をドームカバー１０２のフランジ部１０２ａに重なり合うように配置することで、ハウジング１０３を大きくすることなく外部記録手段１０７を効率よく配置することができる。
【００２７】
また、図３に示すように、外部記録手段１０７は、一部が基板ユニット１０４よりもハウジング１０３側（上側）に突出した状態で配置される。したがって、ユーザはハウジング１０３を取り外すことで外部記録手段１０７を容易に視認することができる共に、外部記録手段１０７を容易に離脱させることができる。
また、図３に示すように、シールド部材１０６は、基板ユニット１０４と、ハウジング１０３との間に配置される。したがって、シールド部材１０６は基板ユニット１０４と外部との間のＥＭＣや放熱性の役割を果たすことができる。
また、シールド部材１０６は外部記録手段１０７が挿通する開口部１０６ａを有し、開口部１０６ａを通して一部がシールド部材１０６よりもハウジング１０３側に突出した状態で配置される。したがって、ユーザはハウジング１０３を取り外すことで外部記録手段１０７を容易に視認することができる。
【００２８】
このように、本実施形態のネットワークカメラによれば、外部記録手段１０７を有することで、カメラユニット１００により撮影された映像をエッジ録画することができる。また、外部記録手段１０７を容易に着脱できることで、エッジ録画された映像を他の機器で閲覧することができる。
【００２９】
以上、本発明を上述した実施形態により説明したが、本発明は上述した実施形態にのみ限定されるものではなく、本発明の範囲内で変更等が可能である。
本発明は、主に監視用途のために車両に設置するネットワークカメラについて説明したが、その他の撮像装置に適用することができる。
【符号の説明】
【００３０】
１００：カメラユニット  １０１：レンズ鏡筒ユニット  １０２：ドームカバー  １０３：ハウジング  １０４：基板ユニット  １０６：シールド部材  １０６ａ：開口部  １０７：外部記録手段  ３０２：ボトムカバー  ３０３：通信／給電用ケーブル  ３０５：第１のプリント基板  ３０６：第２のプリント基板  ３０７：第３のプリント基板  ３０９：スペーサ
【図１】
2019149631.tif 000003
【図２】
2019149631.tif 000004
【図３】
2019149631.tif 000005
【図４】
2019149631.tif 000006